(57)【要約】【課題】  情報処理装置の省電力化等を図る。【解決手段】  各種の接続ポートが設けられ該接続ポートに外部接続機器が接続される外部接続用拡張装置５の接続が可能とされた情報処理装置１において、外部接続機器を駆動するための駆動回路１０２を設け、オペレーティングシステムの起動中に外部接続用拡張装置又は外部接続機器の接続状態を検出し、外部接続用拡張装置又は外部接続機器の非接続状態を検出したときに、上記外部接続機器へ信号を出力する駆動回路を制御して該駆動回路に対する電力の供給を抑制するようにした。【選択図】図２
2005321976.tif 000002
【特許請求の範囲】
【請求項１】
各種の接続ポートが設けられ該接続ポートに外部接続機器が接続される外部接続用拡張装置の接続が可能とされた情報処理装置であって、
外部接続機器を駆動するための駆動回路を備え、
オペレーティングシステムの起動中に外部接続用拡張装置又は外部接続機器の接続状態を検出し、
外部接続用拡張装置又は外部接続機器の非接続状態を検出したときに、上記外部接続機器へ信号を出力する駆動回路を制御して該駆動回路に対する電力の供給を抑制するようにした
ことを特徴とする情報処理装置。
【請求項２】
上記駆動回路を制御して省電力モードの設定又は回路機能の無効化を行うようにした
ことを特徴とする請求項１に記載の情報処理装置。
【請求項３】
各種の接続ポートが設けられ該接続ポートに外部接続機器が接続される外部接続用拡張装置の接続が可能とされた情報処理装置における電力制御機構であって、
外部接続機器を駆動するための駆動回路を備え、
オペレーティングシステムの起動中に外部接続用拡張装置又は外部接続機器の接続状態を検出し、
外部接続用拡張装置又は外部接続機器の非接続状態を検出したときに、上記外部接続機器へ信号を出力する駆動回路を制御して該駆動回路に対する電力の供給を抑制するようにした
ことを特徴とする情報処理装置における電力制御機構。
【請求項４】
上記駆動回路を制御して省電力モードの設定又は回路機能の無効化を行うようにした
ことを特徴とする請求項３に記載の情報処理装置における電力制御機構。
【発明の詳細な説明】
【技術分野】
【０００１】
本発明は情報処理装置及び情報処理装置における電力制御機構についての技術分野に関する。詳しくは、外部接続機器が接続される外部接続用拡張装置の接続状態に応じて駆動回路を制御することにより、省電力化等を図る技術分野に関する。
【背景技術】
【０００２】
情報処理装置、例えば、パーソナルコンピューターにはデスクトップ型、タワー型、ノートブック型、タブレット一体型等の各種の形態が存在するが、特に、接続ポートのスペースを確保し難いノートブック型、タブレット一体型のパーソナルコンピューターは、外部接続用拡張装置、例えば、ポートリプリケーター、ドッキングステーション等を接続して使用する場合がある（例えば、特許文献１参照）。
【０００３】
ポートリプリケーター等の外部接続用拡張装置は、パラレルポート、シリアルポート、ＵＳＢ（Universal Serial Bus）ポート等の各種のポートを有し、情報処理装置に接続されることにより、各ポートに接続されるプリンター、スキャナー、ディスプレイ装置等の各種の外部接続機器と情報処理装置との接続が可能とされる。
【０００４】
このような情報処理装置にあっては、ポートリプリケーター等の外部接続用拡張装置が接続された状態において、外部接続用拡張装置に外部接続機器、例えば、ディスプレイ装置が接続されていると、情報処理装置からディスプレイ装置に画像の出力を行うことが可能であり、ディスプレイ装置と情報処理装置のディスプレイの双方に画像を表示したり、ディスプレイ装置のみに画像を表示することができる。
【０００５】
【特許文献１】特開２００１−３５０５４０号公報
【発明の開示】
【発明が解決しようとする課題】
【０００６】
ところで、上記のような情報処理装置にあっては、ポートリプリケーター等の外部接続用拡張装置に接続されたディスプレイ装置の使用中に、外部接続用拡張装置を情報処理装置から取り外してしまう場合がある。
【０００７】
従来の情報処理装置にあっては、ディスプレイ装置の使用中に外部接続用拡張装置が情報処理装置から取り外された場合においても、情報処理装置に組み込まれ外部接続機器を駆動するための駆動回路からディスプレイ装置へ向けて信号が出力されており、使用しない信号出力のために電力が消費されていた。
【０００８】
また、ディスプレイ装置等が接続された外部接続用拡張装置が接続されている場合に、情報処理装置がスタンバイ状態、即ち、ハードディスク等の駆動を一時的に停止して必要に応じて即座に復帰できるようにされた待機状態において、外部接続用拡張装置が情報処理装置から取り外されることもあるが、この場合にも情報処理装置がスタンバイ状態から復帰したときに、外部接続機器を駆動するための駆動回路からディスプレイ装置へ向けて信号が出力されており、使用しない電力が消費されていた。
【０００９】
このようなディスプレイ装置等の外部接続機器の使用が不可能な状態において、駆動回路からの使用しない信号の出力のために、情報処理装置全体の消費電力が増加する上、不要な電力の消費となって、省電力化を阻害することになる。
【００１０】
このような消費電力の増加の防止は、使用者がディスプレイ装置から情報処理装置のディスプレイに出力の切替を行うことにより可能であるが、出力の切替は手動で行う必要があり、使用者にとっては使い勝手の悪いものとなってしまう。
【００１１】
そこで、本発明情報処理装置及び情報処理装置における電力制御機構は、上記した問題点を克服し、情報処理装置の省電力化等を図ることを課題とする。
【課題を解決するための手段】
【００１２】
本発明情報処理装置及び情報処理装置における電力制御機構は、上記した課題を解決するために、外部接続機器を駆動するための駆動回路を設け、オペレーティングシステムの起動中に外部接続用拡張装置又は外部接続機器の接続状態を検出し、外部接続用拡張装置又は外部接続機器の非接続状態を検出したときに、上記外部接続機器へ信号を出力する駆動回路を制御して該駆動回路に対する電力の供給を抑制するようにしたものである。
【００１３】
従って、本発明情報処理装置及び情報処理装置における電力制御機構にあっては、外部接続用拡張装置又は外部接続機器が非接続状態となったときに駆動回路を制御し、外部接続機器へ向けての信号の出力を停止する。
【発明の効果】
【００１４】
本発明情報処理装置は、各種の接続ポートが設けられ該接続ポートに外部接続機器が接続される外部接続用拡張装置の接続が可能とされた情報処理装置であって、外部接続機器を駆動するための駆動回路を備え、オペレーティングシステムの起動中に外部接続用拡張装置又は外部接続機器の接続状態を検出し、外部接続用拡張装置又は外部接続機器の非接続状態を検出したときに、上記外部接続機器へ信号を出力する駆動回路を制御して該駆動回路に対する電力の供給を抑制するようにしたことを特徴とする。
【００１５】
従って、情報処理装置に外部接続用拡張装置が接続されていないにも拘わらず駆動回路から信号が出力されることがなく、無駄な信号出力に電力を消費するという事態を回避することができ、情報処理装置の省電力化を図ることができる。
【００１６】
また、省電力化を図るために、使用者が出力先の切替を手動で行う必要がなく、使い勝手の向上を図ることができる。
【００１７】
請求項２に記載した発明にあっては、上記駆動回路を制御して省電力モードの設定又は回路機能の無効化を行うようにしたので、一層の省電力化を図ることができる。
【００１８】
本発明情報処理装置における電力制御機構は、各種の接続ポートが設けられ該接続ポートに外部接続機器が接続される外部接続用拡張装置の接続が可能とされた情報処理装置における電力制御機構であって、外部接続機器を駆動するための駆動回路を備え、オペレーティングシステムの起動中に外部接続用拡張装置又は外部接続機器の接続状態を検出し、外部接続用拡張装置又は外部接続機器の非接続状態を検出したときに、上記外部接続機器へ信号を出力する駆動回路を制御して該駆動回路に対する電力の供給を抑制するようにしたことを特徴とする。
【００１９】
従って、情報処理装置に外部接続用拡張装置が接続されていないにも拘わらず駆動回路から信号が出力されることがなく、無駄な信号出力に電力を消費するという事態を回避することができ、情報処理装置の省電力化を図ることができる。
【００２０】
また、省電力化を図るために、使用者が出力先の切替を手動で行う必要がなく、使い勝手の向上を図ることができる。
【００２１】
請求項４に記載した発明にあっては、上記駆動回路を制御して省電力モードの設定又は回路機能の無効化を行うようにしたので、一層の省電力化を図ることができる。
【発明を実施するための最良の形態】
【００２２】
以下に、本発明情報処理装置及び情報処理装置における電力制御機構の最良の形態を添付図面に従って説明する。
【００２３】
尚、本発明情報処理装置は、パーソナルコンピューター等の情報処理装置、ＰＤＡ（Personal Digital Assistant）、ネットワーク端末、携帯情報端末、ワークステーション等の各種の情報処理装置に広く適用することができ、本発明電力制御機構は、これらの各種の情報処理装置における電力制御機構に広く適用することができる。
【００２４】
情報処理装置１は筐体２に所要の各部が配置されて成る（図１参照）。筐体２は、例えば、横長の扁平な矩形状に形成され、前面２ａにディスプレイ３、例えば、液晶パネルが設けられている。
【００２５】
情報処理装置１にあっては、ディスプレイ３がタッチパネル（タブレット）とされており、ディスプレイ３に表示された表示画面の所定の位置を指や図示しない専用の入力ペン（スタイラス）によってタップすることにより選択操作や入力操作等の各種の操作を行うことができる。
【００２６】
図２は、情報処理装置のハードウェア構成例を示したものであり、装置本体部１００及び外部機器との接続用装置（インターフェース装置）２００を示している。
【００２７】
先ず、装置本体部１００内の構成について説明する。
【００２８】
制御中枢であるＣＰＵ１０１は、バス（FSB:Front Side Bus）を介して制御装置１０２に接続されている。制御装置１０２はメインメモリ１０３の制御やグラフィック機能に係る制御を担当し、主に大量データを高速に処理する役目をもつ。ＡＴ互換機では「ノースブリッジ」と呼ばれ、本例に示す制御装置１０２には、ＣＰＵ１０１、メインメモリ１０３、制御装置１０４、液晶表示デバイス等のグラフィック表示装置１０５（上記ディスプレイ３と同じ）が接続されている。制御装置１０２は情報処理装置１に後述する外部接続用拡張装置を介して接続される外部接続機器を駆動するための駆動回路としても機能する。
【００２９】
制御装置１０４は、ユーザインターフェース用の制御デバイス等を主に制御するものであり、デバイスのバスリンク等を行う。ＡＴ互換機では「サウスブリッジ」と呼ばれ、「PCI to ISA bridge」では、バス（ＰＣＩ:Peripheral Component Interconnect bus）を低速なバス（ＩＳＡ:Industry Standard Architecture bus等）に橋渡しする役目をもち、ＩＳＡコントローラ、ＩＤＥ（Integrated Drive Electronics）コントローラ等の機能を有する。
【００３０】
バス（ＰＣＩバス）には、無線通信用デバイス１０６としてのワイヤレス（無線式）ＬＡＮ（Ｗ−ＬＡＮ）や、外部メモリや外部機器との接続や制御を行うためのデバイス１０７が接続されている。外部メモリとしては、装置本体部１００への着脱が可能な半導体メモリ装置、例えば、スティック状のメモリ媒体のデータを読み書きするための制御用デバイス１０８や、カード型の記憶媒体等の制御用デバイス１０９が設けられている。また、デバイス１０７は外部機器との接続用インターフェース（例えば、シリアルデバイスをコンピュータに追加するためのハードウェアの仕様を定義する「IEEE 1394」等）の機能を有する。
【００３１】
制御装置１０４には、ＬＡＮ（Local Area Network）接続用デバイス１１０が接続されるとともに、タッチ式パネル等を用いた入力用デバイス１１１がＵＳＢ（Universal Serial Bus）ポートに接続されている。
【００３２】
補助記憶装置１１２には、例えば、磁気ディスクや光学式ディスクを用いたドライブ装置が用いられるが、本例では、ハードディスク等の大容量記憶媒体を用いたドライブ装置が用いられ、制御装置１０４（内のＩＤＥコントローラ）に接続される。
【００３３】
また、制御装置１０４に接続されているオーディオ信号処理部（Audio Codec）１１３は、ディジタル−アナログ変換されたオーディオ信号を、例えば、スピーカ１１４やヘッドフォン１１５に送出して音声を出力する。あるいは、マイクロフォンを備えた装置形態では、音声入力データをディジタル化する処理等を行う。
【００３４】
記憶装置１１６には、コンピュータを動作させるための制御プログラム等が格納されており、ＬＰＣ(Low Pin Count：シリアルバス）等を用いて制御装置１０４、１１７に接続されている。
【００３５】
制御装置１１７は、各種信号の制御を行う汎用装置であり、例えば、「ＥＣ」（Embedded Controller：組み込みコントローラ）が用いられ、キーボードコントローラの機能や、システムの電源制御やシステムの付加機能等について制御を行う（携帯型機器等ではマイクロコンピュータが搭載されている。）。尚、記憶装置１１６内の制御プログラムを変更することによってコンピュータの制御方法を変えることができる。
【００３６】
スティック型ポインティングデバイス（トラックポイント等）を構成する操作デバイス１１８（後述するポインティングデバイス４ｈ）は、制御装置１１７のポート（ＰＳ／２（Personal System/2）ポート等）に接続されている。また、装置本体部１００に設けられたスイッチや操作釦等を含む操作部１１９からの信号が制御装置１１７に送出される。
【００３７】
装置本体部１００に外部機器を直接的に接続するための接続部１２０としては、ＵＳＢコネクタが設けられており、接続部１２０は制御装置１１７に接続されている。
【００３８】
尚、図示しない電源部には、ＡＣアダプタからの商用電源電圧の供給、あるいは二次電池や燃料電池等を用いたバッテリパックからの直流電源供給が行われる。例えば、上記ＥＣ（制御装置１１７）は、ＡＣアダプタやバッテリパック等の接続や装着の状態を検出したり、バッテリ残量等を含む各種の管理情報を保持している。
【００３９】
次に、接続用装置２００の構成について説明する。
【００４０】
装置本体部１００については、コネクタ等の接続手段を介して接続用装置２００に接続することにより、図示しない外部機器との間で信号伝送が行われる。
【００４１】
ＶＧＡ(Video Grapthics Array)コネクタ等で外部ディスプレイ装置を接続するためのコネクタ部２０１は、装置本体部１００内の制御装置１０２に接続され、これにより外部接続機器、例えば、外付けのディスプレイ装置に対して画像信号等が出力される。
【００４２】
また、「IEEE 1394」規格に準拠した外部接続機器等を接続するためのコネクタ部２０２が、装置本体部１００内の上記デバイス１０７に接続され、ＬＡＮケーブル等を接続するためのコネクタ部２０３が装置本体部１００内の上記デバイス１１０に接続されるようになっている。
【００４３】
装置本体部１００内の制御装置１０４に接続される集線用デバイス２０４には、ＵＳＢハブが用いられ、本例では、接続用装置２００に４つのＵＳＢコネクタ２０５、２０５、…が付設され、各ＵＳＢコネクタ２０５、２０５、・・・が集線用デバイス２０４（ＵＳＢハブ）に接続されている。
【００４４】
図３は、情報処理装置１におけるソフトウエア構成をハードウェアとの関係とともに示す図である。
【００４５】
上層より順に、各種の処理を実行するプログラムであるアプリケーション３００、情報処理装置１の全般的な管理等を行う基本ソフトウエアとなりライブラリ（ＤＬＬ：Dynamic Link Library）を有するＯＳ３０１、外部接続機器の動作処理を実行するためのソフトウエアとなるドライバー３０２、記憶装置１１６に組み込まれ外部接続機器を制御するためのソフトウエアとなるＢＩＯＳ（Basic Input/Output System）３０３、制御装置（ＥＣ）１１７に組み込まれ起動用のソフトウエア等として機能するファームウエア３０４、情報処理装置１の各システムを構成する処理装置等のハードウエア３０５が組み込まれている。
【００４６】
アプリケーション３００、ＯＳ３０１及びドライバー３０２は、例えば、メインメモリ１０３に組み込まれている。
【００４７】
筐体２の所定の位置には、図１に示すように、複数の操作釦４、４、・・・が設けられている。操作釦４、４、・・・としては、例えば、センター釦４ａ、左釦４ｂ、右釦４ｃ、ズーム釦４ｄ、ローテーション釦４ｅ、エンター釦４ｆ、カーソルキー４ｇ、ポインティングデバイス４ｈ、ファンクション選択釦４ｉ、起動釦４ｊ、輝度変更釦４ｋ等が設けられている。
【００４８】
センター釦４ａ、左釦４ｂ、右釦４ｃはそれぞれマウスの各釦に相当する釦であり、ズーム釦４ｄはディスプレイ３に表示される表示画面５の拡大縮小を行う釦であり、ローテーション釦４ｅは表示画面５を９０°回転させる釦であり、エンター釦４ｆはキーボードのエンターキーに相当し操作の実行や確定を行う釦であり、カーソルキー４ｇはディスプレイ３に表示されるカーソルを上下左右に移動させる等の釦であり、ポインティングデバイス４ｈはディスプレイ３に表示されるポインターを移動させる等の釦であり、ファンクション選択釦４ｉは出力される音量の変更や外部接続機器としてのディスプレイ装置への出力の切替等を行う釦であり、起動釦４ｊは特定のソフトウェアを起動する釦であり、輝度変更釦４ｋはディスプレイ３の輝度を変更する釦である。
【００４９】
情報処理装置１には、筐体２の側面２ｂにポートリプリケーター５を接続するための接続コネクター４ｌが設けられている。
【００５０】
外部接続用拡張装置、例えば、ポートリプリケーター５は、図４及び図５に示すように、本体６と該本体６に取り付けられた接続用ガイド７とを有し、本体６にコネクター６ａやパラレルポート、シリアルポート、ＵＳＢ（Universal Serial Bus）ポート等の各種のポートが設けられている。
【００５１】
装置本体２を接続用ガイド７に沿ってスライドさせることにより、接続コネクター４ｌにコネクター６ａが接続されて装置本体２にポートリプリケーター５が接続される（図５参照）。装置本体２にポートリプリケーター５が接続された状態において、ポートリプリケーター５の各ポートに接続されるプリンター、スキャナー、ディスプレイ装置等の複数の外部接続機器と装置本体２との接続が可能とされる。
【００５２】
以下に、情報処理装置１の電力制御機構の動作について説明する。
【００５３】
先ず、情報処理装置１に接続されたポートリプリケーター５に、外部接続機器として、例えば、ディスプレイ装置が接続され該ディスプレイ装置に情報処理装置１から画像信号が出力されていた場合に、情報処理装置１からポートリプリケーター５が取り外されたときの動作について説明する。
【００５４】
情報処理装置１においては、ＯＳ３０１の起動中に、制御装置１１７によって、常に、ポートリプリケーター５の情報処理装置１に対する接続状態が監視されており、上記のように情報処理装置１からポートリプリケーター５が取り外されると、制御装置１１７によって情報処理装置１からポートリプリケーター５が取り外されたことが検出され、その旨の信号が制御装置１１７からファームウエア３０４及びドライバー３０２を経由してＯＳ３０１のＤＬＬに送信される。送信された信号に基づいてＯＳ３０１からアプリケーション３００に指令信号が出力される。
【００５５】
アプリケーション３００はＯＳ３０１経由でＢＩＯＳに組み込まれたＡＳＬ（Advanced Configuration and Power Interface Source Language）を用いてグラフィック機能に係る制御を担当する上記制御装置１０２に対する処理を行い（一部の機能を無効にする）、コネクタ部（ＶＧＡ）２０１への画像信号の出力を遮断する。従って、制御装置１０２に供給されていた不必要な電力が遮断される。
【００５６】
尚、ＡＳＬは、電源制御に関する規格であるＡＣＰＩ（Advanced Configuration and Power Interface）に組み込まれたプログラミング言語である。
【００５７】
次に、情報処理装置１に接続されたポートリプリケーター５に、外部接続機器として、例えば、ディスプレイ装置が接続され該ディスプレイ装置に情報処理装置１から画像信号が出力されていた場合に、情報処理装置１がスタンバイ状態に移行し、このスタンバイ状態において情報処理装置１からポートリプリケーター５が取り外され、その後、情報処理装置１がスタンバイ状態から復帰したときの動作について説明する。
【００５８】
情報処理装置１がスタンバイ状態から復帰したときには、情報処理装置１からポートリプリケーター５が取り外されており、ビデオＢＩＯＳ、ビデオドライバーによって外部接続機器の接続状態が検出され、情報処理装置１に外部接続機器が接続されていない旨が検出される。情報処理装置１に外部接続機器が接続されていない旨が検出されると、上記と同様にして、制御装置１０２への画像信号の出力が停止される。従って、制御装置１０２に供給されていた電力が遮断される。
【００５９】
次に、情報処理装置１に接続されたポートリプリケーター５に、外部接続機器として、例えば、ディスプレイ装置以外の他の機器が、例えば、ＩＥＥＥ１３９４ポート等に接続されていた場合に、情報処理装置１からポートリプリケーター５が取り外されたときの動作について説明する。
【００６０】
情報処理装置１においては、ＯＳ３０１の起動中に、制御装置１１７によって、常に、ポートリプリケーター５の情報処理装置１に対する接続状態が監視されており、上記のように情報処理装置１からポートリプリケーター５が取り外されると、制御装置１１７によって情報処理装置１からポートリプリケーター５が取り外されたことが検出され、その旨の信号が制御装置１１７からファームウエア３０４及びドライバー３０２を経由してＯＳ３０１のＤＬＬに送信される。送信された信号に基づいてＯＳ３０１からアプリケーション３００に指令信号が出力される。
【００６１】
アプリケーション３００はＯＳ３０１経由で該０Ｓ３０１に組み込まれたＡＰＩ（Application Programming Interface）を用いてグラフィック機能に係る制御を担当する上記制御装置１０２に対する処理を行い、制御装置１０２への出力を遮断する。従って、制御装置１０２に供給されていた電力が遮断される。
【００６２】
尚、ＡＰＩは、アプリケーション３００からＯＳ３０１の機能を利用するための仕様又は関数である。
【００６３】
以上に記載した通り、情報処理装置１にあっては、ＯＳ３０１の起動中に外部接続用拡張装置又は外部接続機器の接続状態を検出し、外部接続用拡張装置又は外部接続機器の非接続状態を検出したときに制御装置１０２に対する電力の供給を遮断するようにしたので、情報処理装置１にポートリプリケーター５が接続されていないにも拘わらず制御装置１０２に電力が供給されるという事態を回避することができ、情報処理装置１の省電力化を図ることができる。
【００６４】
また、省電力化を図るために、使用者が出力先の切替を手動で行う必要がなく、使い勝手の向上を図ることができる。
【００６５】
尚、情報処理装置１にあっては、外部接続用拡張装置、例えば、ポートリプリケーター５の情報処理装置１に対する接続状態に応じて、以下のように、所要のアプリケーション３００が起動されるようにしてもよい。
【００６６】
所要のアプリケーションとしては、例えば、ポートリプリケーター５にテレビ用のチューナーが設けられている場合のテレビ視聴のためのアプリケーションやポートリプリケーター５にアンプやスピーカーが設けられている場合の音楽再生、画像再生のためのアプリケーションのようなものが考えられる。
【００６７】
具体的には、テレビ視聴のためのアプリケーションの場合には、ポートリプリケーター５が情報処理装置１に接続されると、このアプリケーションが自動的に起動され、ポートリプリケーター５が情報処理装置１から取り外されると、このアプリケーションの起動が自動的に停止される。また、音楽再生、画像再生のためのアプリケーションの場合にも、同様に、ポートリプリケーター５が情報処理装置１に接続されると、このアプリケーションが自動的に起動され、ポートリプリケーター５が情報処理装置１から取り外されると、このアプリケーションの起動が自動的に停止される。
【００６８】
ポートリプリケーター５が情報処理装置１に接続されると、この接続状態が制御装置１１７によって検出され、その旨の信号が制御装置１１７からドライバー３０２を経由してＯＳ３０１に出力され、ＯＳ３０１の指令によって所要のアプリケーション３００が起動される。
【００６９】
逆に、ポートリプリケーター５が情報処理装置１から取り外されると、この非接続状態が制御装置１１７によって検出され、その旨の信号が制御装置１１７からドライバー３０２を経由してＯＳ３０１に出力され、ＯＳ３０１の指令によって所要のアプリケーション３００の起動が停止される。
【００７０】
このようにポートリプリケーター５が情報処理装置１に接続されたときに所要のアプリケーション３００が自動的に起動されるようにすることにより、使用者がアプリケーション３００の起動操作を行う必要がなく、使い勝手の向上を図ることができ、また、ポートリプリケーター５が情報処理装置１から取り外されたときに所要のアプリケーション３００の起動が自動的に停止されるようにすることにより、ＣＰＵ１０１の負荷が軽減され、省電力化を図ることができる。
【００７１】
尚、上記には、外部接続用拡張装置の例としてポートリプリケーター５を示したが、外部接続用拡張装置はポートリプリケーター５に限られることはなく、例えば、ドッキングステーション等であってもよい。
【００７２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７３】
【図１】図２乃至図５と共に本発明の最良の形態を示すものであり、本図は情報処理装置の斜視図である。
【図２】情報処理装置のハードウェア構成例を示したブロック図である。
【図３】情報処理装置のソフトウエア構成をハードウェアとの関係とともに示した図である。
【図４】ポートリプリケーターが装置本体から取り外された状態を示す斜視図である。
【図５】ポートリプリケーターが装置本体に接続された状態を示す斜視図である。
【符号の説明】
【００７４】
１…情報処理装置、５…ポートリプリケーター（外部接続用拡張装置）、１０２…制御装置（駆動回路）、３０１…ＯＳ（オペレーティングシステム）
【図１】
2005321976.tif 000003
【図２】
2005321976.tif 000004
【図３】
2005321976.tif 000005
【図４】
2005321976.tif 000006
【図５】
2005321976.tif 000007